(57)【特許請求の範囲】
【請求項１】
各種のアクチュエータを備えた機器本体と通信可能に接続されたリモコン装置であって、機器本体を各種の運転モードで運転させる操作スイッチと、各操作スイッチに対応した運転モードの内容及び各種設定データを文章で記憶した文字データ記憶部と、ドットマトリクス型表示器と、前記文字データ記憶部の文字データを前記ドットマトリクス型表示器に表示させる文字表示制御部と、前記操作スイッチが操作される都度、初期化され所定時間の非操作時間をカウントする設定タイマと、前記設定タイマのカウントアップで運転モードの内容及び設定データを確定するモード確定手段と、前記各操作スイッチに対応した運転モードを音声で記憶した音声データ記憶部と、スピーカーと、前記音声データ記憶部の音声データを前記スピーカーに出力させる音声出力制御部とを備え、前記操作スイッチが操作されると、前記ドットマトリクス型表示器に該操作された操作スイッチに対応した運転モードの内容及び各種設定データをデータ設定中は文字表示し、データ設定後の非操作時間のカウントアップでは、確定した運転モードをスピーカーで音声出力するようにした事を特徴とするリモコン装置。
【発明の詳細な説明】
【０００１】
【発明の属する技術分野】
本発明は、給湯機や暖房ボイラーなどの燃焼機器に用いられるリモコン装置に関するものである。
【０００２】
【従来の技術】
従来よりこの種の給湯機や暖房ボイラーなどの燃焼機器に用いられるリモコン装置に於いては、例えば特開２０００−３４６４４３号公報に開示されているように、設定変更手段の操作により変更された設定値を音声で報知することで、目の不自由な人やシャンプー等で手探りでしか操作できない状態の人でも安心して設定を変更し、お湯を快適に使用することができるようにしたものであった。
【０００３】
【発明が解決しようとする課題】
しかし、この従来のものでは、設定変更手段は続けて押す場合が多く、１回押す毎に音声で報知されては、うるさく又聞きづらく、集中して操作出来ず、逆に操作しずらいものであり、更に健常者や通常状態の操作者では、過剰な報知であり、騒がしい装置であってやはり操作しずらいと言う問題点を有するものであった。
【０００４】
【課題を解決するための手段】
この発明はこの点に着目し上記課題を解決するため、特にその構成を、各種のアクチュエータを備えた機器本体と通信可能に接続されたリモコン装置であって、機器本体を各種の運転モードで運転させる操作スイッチと、各操作スイッチに対応した運転モードの内容及び各種設定データを文章で記憶した文字データ記憶部と、ドットマトリクス型表示器と、前記文字データ記憶部の文字データを前記ドットマトリクス型表示器に表示させる文字表示制御部と、前記操作スイッチが操作される都度、初期化され所定時間の非操作時間をカウントする設定タイマと、前記設定タイマのカウントアップで運転モードの内容及び設定データを確定するモード確定手段と、前記各操作スイッチに対応した運転モードを音声で記憶した音声データ記憶部と、スピーカーと、前記音声データ記憶部の音声データを前記スピーカーに出力させる音声出力制御部とを備え、前記操作スイッチが操作されると、前記ドットマトリクス型表示器に該操作された操作スイッチに対応した運転モードの内容及び各種設定データをデータ設定中は文字表示し、データ設定後の非操作時間のカウントアップでは、確定した運転モードをスピーカーで音声出力するようにしたものである。
【０００５】
【発明の実施の形態】
次に、本発明を追い焚き機能付き給湯機に適用した一実施形態を図面に基づいて説明する。
【０００６】
１は気化式石油給湯機本体で、２はマイクロコンピュータより構成されこの給湯機本体の制御を行う本体側制御装置で、燃焼および湯温を制御するため種々のセンサおよびアクチュエータが接続されている。
【０００７】
３は燃油である石油を噴霧して供給する噴霧ノズル、４は燃焼用の空気を供給する燃焼ファン、５は燃油を気化する気化器、６は気化器５を燃油が気化可能な温度まで加熱する気化ヒータ、７は気化器５の温度を検知する気化温度センサ、８は燃油の気化ガスと燃焼用空気の混合ガスを燃焼させるバーナ部、９はバーナ部８から噴出する混合ガスに放電点火する点火手段、１０は燃焼を検知する燃焼検知手段である。
【０００８】
１１は水道(図示せず)からの水を給湯熱交換器１２を介して加熱し給湯栓１３から給湯する給湯回路、１４は給湯熱交換器１２に流入する水の流量を検知する流量センサ、１５は給湯出口側に設けられた給湯温度センサで、給湯栓１３が開けられ最低作動流量以上の流水を流量センサ１４が検知するとバーナ部８の燃焼を開始し、設定温度の湯を給湯するものである。
【０００９】
１６は浴槽１７内の湯または水を風呂熱交換器１８で加熱し再び浴槽１７に供給する風呂回路、１９は浴槽水を循環させる循環ポンプ、２０は風呂回路１６内の浴槽水の循環の有無を検知する流水スイッチ、２１は循環する浴槽水の温度を検知する風呂温度センサで、循環ポンプ１９を駆動して流水スイッチ２０が流水を検知するとバーナ部８の燃焼を開始し、浴槽１７内の湯または水を設定温度まで加熱するものである。
【００１０】
２２は給湯温度センサ１５後の給湯回路１１から分岐し、風呂回路１６に三方弁２３を介して接続された湯張り回路で、給湯側から電磁弁２４、湯張りフローセンサ２５、ホッパー２６、逆止弁２７が順に備えられ、給湯回路１１を利用して浴槽１７への設定量、設定温度の湯張り及び足し湯、足し水等を行うものである。
【００１１】
２８は本体側制御装置２とそれぞれの通信制御部２９ａ、２９ｂを介して２線通信方式で接続された給湯機のリモコン装置で、マイクロコンピュータより構成されたリモコン側制御装置３０には、その入力側にキーマトリクス型の多数の操作スイッチが接続されていると共に、出力側に文字や図形を点の集合で自在に表すドットマトリクス型表示器３１のドライバ３２と、音声出力制御手段３３を介してスピーカー３４のアンプ３５とが接続されている。
【００１２】
前記リモコン装置２８の複数の操作スイッチとして、気化器５を燃油が気化可能で燃焼開始可能な予熱状態でスタンバイさせる電源スイッチ３６と、設定量の湯を浴槽１７に自動給湯するお湯張り運転スイッチ３７と、浴槽１７内の湯または水を設定温度まで加熱して一定時間保温状態にする保温運転スイッチ３８と、設定量で設定温度のお湯を浴槽１７に足し湯すると共に、設定量の設定も行う足し湯スイッチ３９と、現在時刻やタイマー時刻を設定するための複数の時刻設定スイッチ４０と、湯の設定温度を変更する複数の温度設定スイッチ４１とが設けられているものである。
【００１３】
前記リモコン側制御装置２８には、どの操作スイッチが操作されたかを判別する操作スイッチ判別部４２と、少なくとも前記足し湯スイッチ３９に対応した運転モードの内容及び、設定データとして予め設定された複数の設定量をドットの集合である文字データとして記憶した文字データ記憶部４３と、該文字データ記憶部４３に記憶された文字データを列または行単位で前記ドライバ３２へ送り前記ドットマトリクス型表示器３１に表示させる文字表示制御部４４とが設けられているものである。
【００１４】
前記操作スイッチ判別部４２には、足し湯スイッチ３９が操作される都度、初期化され５秒間の非操作時間をカウントし、５秒後にカウントアップ信号を出力する設定タイマ４５と、この設定タイマ４５のカウントアップ信号を受け、ドットマトリクス型表示器３１に表示されている運転モード及び設定量を設定データとして確定するモード確定手段４６が備えられ、このモード確定手段４６からの確定信号が本体側制御装置２及び音声出力制御部３３に送られる。
【００１５】
又この音声出力制御部３３は音声合成ＩＣで構成され、足し湯スイッチ３９に対応した運転モードを音声で記憶した音声データ記憶部４７を備えており、前記モード確定手段４６からの確定信号を受け、音声データ記憶部４７に記憶された音声データを前記アンプ３５を介して前記スピーカー３４から出力させるものである。
【００１６】
更に、前記音声出力制御部３３は、操作スイッチが押圧された際に「ピッ」という操作確認音を出力するものである。
【００１７】
前記文字データ記憶部４３および音声データ記憶部４７には、それぞれ図３に示すように、足し湯スイッチ３９が１回押圧された時は「３０Ｌ足し湯します」という文字データが、又５秒以内に続けて２回目押圧された時は「６０Ｌ足し湯します」という文字データが、又５秒以内に続けて３回目押圧された時は「９０Ｌ足し湯します」という文字データが表示され、更に５秒以内に続けて４回目押圧されると足し湯運転終了して元の表示に戻るものであり、一方足し湯スイッチ３９の１回目押圧から４回目押圧の間で非操作時間が５秒経過すると、その時表示されている足し湯量で足し湯モードが確定し、この時「足し湯します」という確定した運転モードを音声データとして報知し、確定した運転モードが実施される事を使用者に知らせるものである。
【００１８】
次に、この発明一実施形態の作動について図４に示すフローチャートに従って説明する。
今、足し湯スイッチ３９が１回目押圧されると、先ずステップ４８で足し湯量設定モードが開始され、ステップ４９に進んでリモコン側制御装置２８の操作スイッチ判別部４２が足し湯スイッチ３９が押圧されたことを判別し、スピーカー３４から「ピッ」という操作確認音を出力すると共に、前記文字表示制御部４４が文字データ記憶部４３に記憶されている足し湯スイッチ３９の１回目押圧に対応する「３０Ｌ足し湯します」という文字データを列単位でドライバ３２に送ってドットマトリクス型表示器３１に表示させて文字ガイドし、又設定タイマ４５が５秒のカウントを開始する。
【００１９】
次にステップ５０に進み足し湯スイッチ３９が続けて２回目押圧されるかを判断し、ＹＥＳではステップ５１に進み「６０Ｌ足し湯します」をドットマトリクス型表示器３１に表示させて文字ガイドすると共に、設定タイマ４５のクリアと再カウントを開始させる。
【００２０】
又ＮＯではステップ５２に進み設定タイマ４５が５秒のカウントアップをするかを待ち、ＹＥＳ即ち５秒のカウントアップを設定操作の終了と判断してステップ５３に進み、モード確定手段４６の確定信号によって足し湯量を今の設定量である３０Ｌに自動的に確定すると共に、音声出力制御部３３は音声データ記憶部４７に記憶されている足し湯量の確定に対応する「足し湯します」という音声データをアンプ３５へ送ってスピーカー３４から音声出力させて音声ガイドし、文字ガイドは消灯及び足し湯量の設定モードを終了させる。
【００２１】
次にステップ５１後に進むステップ５４では、足し湯スイッチ３９が続けて３回目押圧されるかを判断し、ＹＥＳではステップ５５に進み「９０Ｌ足し湯します」をドットマトリクス型表示器３１に表示させて文字ガイドすると共に、設定タイマ４５のクリアと再カウントを開始させる。
【００２２】
又ＮＯではステップ５６に進み設定タイマ４５が５秒のカウントアップをするかを待ち、ＹＥＳ即ち５秒のカウントアップを設定操作の終了と判断してステップ５３に進み、モード確定手段４６の確定信号によって足し湯量を今の設定量である６０Ｌに自動的に確定すると共に、音声出力制御部３３は音声データ記憶部４７に記憶されている足し湯量の確定に対応する「足し湯します」という音声データをアンプ３５へ送ってスピーカー３４から音声出力させて音声ガイドし、文字ガイドは消灯及び足し湯量の設定モードを終了させる。
【００２３】
次にステップ５５後に進むステップ５７では、足し湯スイッチ３９が続けて４回目押圧されるかを判断し、ＹＥＳではステップ５８に進み足し湯運転を終了させる。
【００２４】
又ＮＯではステップ５９に進み設定タイマ４５が５秒のカウントアップをするかを待ち、ＹＥＳ即ち５秒のカウントアップを設定操作の終了と判断してステップ５３に進み、モード確定手段４６の確定信号によって足し湯量を今の設定量である９０Ｌに自動的に確定すると共に、音声出力制御部３３は音声データ記憶部４７に記憶されている足し湯量の確定に対応する「足し湯します」という音声データをアンプ３５へ送ってスピーカー３４から音声出力させて音声ガイドし、文字ガイドは消灯及び足し湯量の設定モードを終了させる。
【００２５】
この後は、予熱の完了を待ってバーナ部８を燃焼させ、給湯回路１１から湯張り回路２２を介して湯張りフローセンサ２５で足し湯量をカウントし、設定量で且つ別に設定された湯温で足し湯運転が行われるものである。
【００２６】
従って、足し湯量の設定中は文字ガイドのみで、煩わしい音声ガイドはなく静かで設定操作に集中することが出来るものであり、又設定データの確定は確定スイッチをいちいち押圧することなく、所定時間の非操作で自動的に行われ、操作も簡単でスイッチ数も少なくて済むものであり、しかも確定時のみ音声ガイドされるので、確実に運転モードが受付られた事を確認出来、極めて使用勝手が良く操作がしやすいものである。
【００２７】
尚、この実施例では、足し湯運転モードを例に取り説明したが、これに限定されることなく、例えば差し水モードや自動湯張りモードでも良く、又設定データも湯量でなく湯温でも良く、設定も専用の設定スイッチで小刻みに設定するようにしたものでも良い事は勿論である。
【００２８】
【発明の効果】
以上のようにこの発明によれば、設定データの設定中は運転モードと設定値を文字ガイドのみで表示され、煩わしい音声ガイドがなく静かで集中して設定操作が行え、又設定値の確定は操作スイッチの非操作が所定時間以上で自動的に行われ、操作が容易でスイッチ数も少なくて済み、しかも運転モードの確定時のみ該運転モードが音声ガイドでガイドされるので、運転モードの受付確認が確実且つ明確に行われ、極めて使用勝手の良いリモコン装置とする事が出来るものである。
【図面の簡単な説明】
【図１】この発明一実施例を示す給湯機の概略構成図。
【図２】同本体側制御装置とリモコン側制御装置のブロック図。
【図３】同操作されたスイッチに対応する音声ガイド・文字ガイドの内容の説明図。
【図４】同作動を説明するフローチャート。
【図５】同データ設定中のリモコン装置の説明図。
【図６】同モード確定後のリモコン装置の説明図。
【符号の説明】
２８  リモコン装置
３１  ドットマトリクス型表示器
３３  音声出力制御部
３４  スピーカー
３９  湯張りスイッチ
４３  文字データ記憶部
４４  文字表示制御部
４５  設定タイマ
４６  モード確定手段
４７  音声データ記憶部
【図１】
0003913477.tif 000002
【図２】
0003913477.tif 000003
【図３】
0003913477.tif 000004
【図４】
0003913477.tif 000005
【図５】
0003913477.tif 000006
【図６】
0003913477.tif 000007